(57)【要約】【課題】コンセント設置孔や電源スイツチ孔のように寸法が規格化されている角孔を壁面に穿設するための輪郭マークを付ける場合に、コンセントや電源スイツチが一連サイズであっても、ニ連サイズであっても、何れにも対応することができ、しかもゲージ本体を押え付けやすく、その押え付けた指が滑りにくくすることにより、ゲージ本体も滑って移動しにくくし、さらにゲージ本体を持ち替える必要をなくして、その際の位置ずれを防止して、ゲージ本体を壁面に正確に位置決めすることができるケガキゲージを提供する。【解決手段】透明の合成樹脂製とした直方体形状の二個のゲージ本体１、２を重ね合わせると共に、これら重ね合わせたゲージ本体１、２を、ヒンジ３を介して平坦状に開放できるように連結したものとしている。【選択図】図７
2018194320.tif 000002
【特許請求の範囲】
【請求項１】
透明の合成樹脂製とした直方体形状の二個のゲージ本体（１、２）を重ね合わせると共に、これら重ね合わせたゲージ本体（１、２）を、ヒンジ（３）を介して平坦状に開放できるように連結したことを特徴とするケガキゲージ。
【請求項２】
前記一方のゲージ本体（１）は、短寸方向の寸法が４１〜５１ｍｍ、長手方向の寸法が８９〜９９ｍｍであるものとし、前記他方のゲージ本体（２）は、短寸方向の寸法が４６〜５６ｍｍ、長手方向の寸法が９０〜１００ｍｍであるものとしていることを特徴とする請求項１記載のケガキゲージ。
【請求項３】
前記ヒンジ（３）は、片方のブラケット（３ａ）を前記一方のゲージ本体（１）の後面（１ｂ）に固着し、もう片方のブラケット（３ｂ）を前記他方のゲージ本体（２）の前面（２ａ）に固着したものとしていることを特徴とする請求項１又は２記載のケガキゲージ。
【請求項４】
前記一方のゲージ本体（１）と他方のゲージ本体（２）の対向する位置にそれぞれ指挿入部（４、５）を設けたものとすると共に、前記ゲージ本体（１、２）の少なくとも一方の内部に、短寸方向または長手方向に沿って気泡移動部（６）を設けたものとしていることを特徴とする請求項１〜３の何れかに記載のケガキゲージ。
【請求項５】
前記指挿入部（４、５）は、ゲージ本体（１、２）の前面（１ａ、２ａ）から後面（１ｂ、２ｂ）に貫通するようにした貫通孔とすると共に、それぞれのゲージ本体（１、２）の少なくとも一個所に設けたものとしていることを特徴とする請求項４記載のケガキゲージ。
【発明の詳細な説明】
【技術分野】
【０００１】
この発明は、電気工事や建築工事等において、コンセント設置孔や電源スイツチ孔のように寸法が規格化されている角孔を壁面に穿設するための輪郭マークを付けることができるケガキゲージに関するものである。
【背景技術】
【０００２】
従来、この種のケガキゲージとしては、例えば、図１４、１５に示したような水準器付きのものが存在する。このケガキゲージは、コンセント設置孔や電源スイツチ孔のように寸法が規格化されている角孔を壁面に穿設するに際して作業能率を大幅に高めることを可能とするとしており、以下のような構成としている（特許文献１）。
【０００３】
このケガキゲージは、正面１１ａの短寸方向寸法が５０〜５５ｍｍ、長手方向寸法が９５〜１００ｍｍで、所要の厚さをもつ透明合成樹脂製直方体形状のゲージ本体１１の他の一面１１ｂに板状の磁石Ｍが固着されたものとしている。そして、前記ゲージ本体１１の内部に長手方向と短寸方向とに沿って水平、垂直位置測定用の透明な気泡管部１２、１２が相互に直交する方向に配置されたものとしている。各気泡管部１２は、ゲージ本体１１の内部に長手方向及び短寸方向に沿って中央部が僅かに膨らんだ孔１２ａが穿設されており、この孔１２ａの中央部両側に水平状態確認用マークとなる環状線１３が形成され且つその内部には気泡Ｂを残して液体Ｌが充填されて栓１４で密閉されている。
【０００４】
このような構成のケガキゲージを用いて、コンセント設置孔や電源スイツチ孔のように寸法が規格化されている角孔を壁面に穿設するための輪郭マークを付けるには、ゲージ本体１１を横長にした場合の正面１１ａの上下方向寸法を５０ｍｍまたは５１ｍｍ、長手方向寸法を９５ｍｍとしたものを用いる。このような数値寸法とすることによってその外周縁を利用してコンセント設置孔形成用の輪郭マークを適正大に付けることができるとしている。
【０００５】
前記コンセント設置孔形成用の輪郭マークを壁面に付けるには、図１６に示したように、壁の表面材１５の所定位置に前記ゲージ本体１１を長手方向が縦となるように当接し、水平となった気泡管部１２の気泡Ｂが環状線１３、１３の中間に位置するように調節すれば、この気泡管部１２は水平となったことが確認でき、前記ゲージ本体１１の５１ｍｍの辺は水平に、９５ｍｍの辺は垂直になる。したがって、この時のゲージ本体１１の外形線を壁面に筆写すれば、前記した縦が９５ｍｍ、横が５１ｍｍの長方形の角孔を穿設する位置が正確にマークされるとしている。
【先行技術文献】
【特許文献】
【０００６】
【特許文献１】特開平９−２１８０３７号公報
【発明の概要】
【発明が解決しようとする課題】
【０００７】
ところで、近年、オフィスや工場は言うまでもなく、一般家庭においてもニ連サイズのコンセントが汎用されており、これに伴いコンセント設置孔もニ連サイズのものに対応する必要性が生じている。
【０００８】
しかしながら、上記従来のケガキゲージでは、一連サイズのものにしか対応することができず、ニ連サイズのコンセント設置孔の場合には、ゲージ本体１１を壁面に当接させたまま、ゲージ本体１１を平行移動させて、そのゲージ本体１１の外形線を連続して筆写するなどの対応をしていたが、このような対応では、到底ニ連サイズのコンセント設置孔形成用の輪郭マークを正確に付けることができないという課題を有していた。
【０００９】
さらに、上記従来のケガキゲージを用いて、コンセント設置孔形成用の輪郭マークを壁面に付けるには、図１６に示したように、ゲージ本体１１の正面１１ａの適当な個所を指で押え付けたり、またはゲージ本体１１の周囲を指で保持したりして、このゲージ本体１１を壁面に位置決めしている。
【００１０】
しかしながら、前記ゲージ本体１１は透明合成樹脂で作製されており、その正面１１ａは平滑であるため、正面１１ａの適当な個所を指で押え付けるだけでは、その押え付けた指が滑りやすく、その指の滑りに応じてゲージ本体１１も滑って移動してしまい、ゲージ本体１１を壁面に正確に位置決めすることができないという課題を有していた。
【００１１】
また、前記ゲージ本体１１の周囲を指で保持する場合は、前記輪郭マークを付けるときに、その保持している指が邪魔になるので持ち替えなければならず、その際にゲージ本体１１の位置がずれることがあるという課題を有していた。
【００１２】
そこで、この発明は、上記従来のケガキゲージが有する課題を解決することを目的としており、コンセント設置孔や電源スイツチ孔のように寸法が規格化されている角孔を壁面に穿設するための輪郭マークを付ける場合に、コンセントや電源スイツチが一連サイズであっても、ニ連サイズであっても、何れにも対応することができ、しかもゲージ本体を押え付けやすく、その押え付けた指が滑りにくくすることにより、ゲージ本体も滑って移動しにくくし、さらにゲージ本体を持ち替える必要をなくして、その際の位置ずれを防止して、ゲージ本体を壁面に正確に位置決めすることができるケガキゲージを提供することを目的としてなされたものである。
【課題を解決するための手段】
【００１３】
そのため、この発明のケガキゲージは、透明の合成樹脂製とした直方体形状の二個のゲージ本体１、２を重ね合わせると共に、これら重ね合わせたゲージ本体１、２を、ヒンジ３を介して平坦状に開放できるように連結したものとしている。
【００１４】
この発明のケガキゲージにおいて、前記一方のゲージ本体１は、短寸方向の寸法が４１〜５１ｍｍ、長手方向の寸法が８９〜９９ｍｍであるものとし、前記他方のゲージ本体２は、短寸方向の寸法が４６〜５６ｍｍ、長手方向の寸法が９０〜１００ｍｍであるものとしている。
【００１５】
この発明のケガキゲージにおいて、前記ヒンジ３は、片方のブラケット３ａを前記一方のゲージ本体１の後面１ｂに固着し、もう片方のブラケット３ｂを前記他方のゲージ本体２の前面２ａに固着したものとしている。
【００１６】
この発明のケガキゲージにおいて、前記一方のゲージ本体１と他方のゲージ本体２の対向する位置にそれぞれ指挿入部４、５を設けたものとすると共に、前記ゲージ本体１、２の少なくとも一方の内部に、短寸方向または長手方向に沿って気泡移動部６を設けたものとしている。
【００１７】
この発明のケガキゲージにおいて、前記指挿入部４、５は、ゲージ本体１、２の前面１ａ、２ａから後面１ｂ、２ｂに貫通するようにした貫通孔とすると共に、それぞれのゲージ本体１、２の少なくとも一個所に設けたものとしている。
【発明の効果】
【００１８】
この発明のケガキゲージは、以上に述べたように構成されており、コンセント設置孔や電源スイツチ孔のように寸法が規格化されている角孔を壁面に穿設するための輪郭マークを付ける場合に、その角孔が一連サイズであるときは、二個のゲージ本体１、２を重ね合わせた（閉じた）状態にし、前記角孔がニ連サイズであるときは、二個のゲージ本体１、２を開いた状態にすれば、それぞれに対応した輪郭マークを付けることができる。
【００１９】
さらに、この発明のケガキゲージは、ゲージ本体１、２を重ね合わせた（閉じた）状態、又は開いた状態にした場合も、これらゲージ本体１、２に設けられた指挿入部４、５に指を引っ掛けて、それらゲージ本体１、２を壁面に押え付けることにより、ゲージ本体１、２が押え付けやすく、その押え付けた指が滑りにくくなるので、ゲージ本体１、２も滑ることなく移動しにくくなり、そのゲージ本体１、２を壁面に正確に位置決めすることができる。
【００２０】
さらに、この発明のケガキゲージは、前記輪郭マークを付ける場合に、ゲージ本体１、２に設けられた指挿入部４、５の何れかに指を引っ掛けて、これらゲージ本体１、２を壁面に押え付ければ、その押え付けた指が邪魔にならないので、ゲージ本体１、２を持ち替える必要がなく、その際の位置ずれを防止することができ、それらゲージ本体１、２を壁面に正確に位置決めすることができる。
【図面の簡単な説明】
【００２１】
【図１】この発明のケガキゲージの一実施形態を示しており、二個のゲージ本体を重ね合わせている状態の正面方向から見た斜視図である。
【図２】図１に示すこの発明のケガキゲージの背面方向から見た斜視図である。
【図３】図１に示すこの発明のケガキゲージの正面図である。
【図４】図１に示すこの発明のケガキゲージの背面図である。
【図５】図３中のＡ−Ａ線によるこの発明のケガキゲージの断面図である。
【図６】図４中のＢ−Ｂ線によるこの発明のケガキゲージの断面図である。
【図７】図１に示すこの発明のケガキゲージの二個のゲージ本体を開いている状態の正面方向から見た斜視図である。
【図８】図１に示すこの発明のケガキゲージの二個のゲージ本体を開いている状態の背面方向から見た斜視図である。
【図９】図７に示す状態のこの発明のケガキゲージの正面図である。
【図１０】図７に示す状態のこの発明のケガキゲージの背面図である。
【図１１】図９中のＣーＣ線によるこの発明のケガキゲージの断面図である。
【図１２】この発明のケガキゲージの一使用状態を示す説明図である。
【図１３】この発明のケガキゲージの他の使用状態を示す説明図である。
【図１４】従来のケガキゲージの一例を示す斜視図である。
【図１５】図１４に示す従来のケガキゲージの正面図である。
【図１６】図１４に示す従来のケガキゲージの一使用状態を示す説明図である。
【発明を実施するための形態】
【００２２】
以下、この発明のケガキゲージを実施するための形態を、図面に基づいて詳細に説明する。
【００２３】
この発明のケガキゲージは、図１、２に示したように、透明の合成樹脂製とした縦長の平坦な直方体形状の二個のゲージ本体１、２を重ね合わせると共に、これら重ね合わせたゲージ本体１、２を、図７、８に示したように、ヒンジ３を介して平坦状に開放できるように連結したものとしている。
【００２４】
前記ゲージ本体１は、前面１ａ、後面１ｂ、上面１ｃ、下面１ｄ、左右の側面１ｅ、１ｅを有したものとしており、図示したものの実寸は、短寸方向の寸法を４１〜５１ｍｍ程度、長手方向の寸法を８９〜９９ｍｍ程度、厚さを１〜１３ｍｍ程度、好ましくは３〜９ｍｍ程度としており、後に述べるゲージ本体２より、ひと回り小さいものとしている。
【００２５】
前記ゲージ本体２は、前面２ａ、後面２ｂ、上面２ｃ、下面２ｄ、左右の側面２ｅ、２ｅを有したものとしており、図示したものの実寸は、短寸方向の寸法を４６〜５６ｍｍ程度、規格の一連サイズのコンセント設置孔形成用の輪郭マークを壁面に付けるには、短寸方向の寸法を５０ｍｍ程度とし、長手方向の寸法を９０〜１００ｍｍ程度、規格の一連サイズのコンセント設置孔形成用の輪郭マークを壁面に付けるには、長手方向の寸法を９５ｍｍ程度としており、厚さを１〜１３ｍｍ程度、好ましくは３〜９ｍｍ程度としているが、これらの寸法は限定されるものではない。
【００２６】
前記ヒンジ３は、図７、９に示したように、一方のブラケット３ａの一側端に設けた軸受部Ｂ1 と、他方のブラケット３ｂの一側端に設けた軸受部Ｂ2 とを交互に重ね合わせて一直線状に配置し、これら軸受部Ｂ1 、Ｂ2 にピンを支承したものとしている。このようにしたヒンジ３は、前記ゲージ本体１、２の側面１ｅ、２ｅどうしを対向させた状態にして、片方のブラケット３ａを前記一方のゲージ本体１の後面１ｂにビス止めするなどして固着し、もう片方のブラケット３ｂを前記他方のゲージ本体２の前面２ａにビス止めするなどして固着しており、これらブラケット３ａ、３ｂを折り畳んだ状態にすると、前記ゲージ本体１、２が重ね合わされ、ブラケット３ａ、３ｂを開いた状態にすると、前記ゲージ本体１、２が平坦状に開放するようにしている。なお、前記ヒンジ３は、ブラケット３ａ、３ｂの軸受部Ｂ1 、Ｂ2 にピンを支承したものに限らず、薄肉の弾性合成樹脂で作成したものなど、任意のヒンジ構造を有するものであればよい。
【００２７】
さらに、この発明のケガキゲージは、前記一方のゲージ本体１と他方のゲージ本体２の対向する位置にそれぞれ指挿入部４、５を設けたものとすると共に、前記ゲージ本体２の内部に、短寸方向または長手方向に沿って気泡移動部６を設けたものとしている。
【００２８】
前記指挿入部４、５は、ゲージ本体１、２の前面１ａ、２ａから後面１ｂ、２ｂに貫通するようにした貫通孔とすると共に、それぞれのゲージ本体１、２の少なくとも一個所に設けたものとすればよいが、後に述べるような使用状態においては、それぞれの上下部の対向する位置の二個所に設けたものとするのが好ましい。
【００２９】
そして、前記指挿入部４、５は、平面形状を角を丸めた長方形としており、ゲージ本体１の二個所の指挿入部４を、ゲージ本体２の二個所の指挿入部５より、それぞれをひと回り大きいものとしている。さらに、図５に示したように、前記ゲージ本体１の二個所の指挿入部４の対向する内側面４ａをそれぞれ水平面とし、前記ゲージ本体２の二個所の指挿入部５の対向する内側面５ａをゲージ本体２の前面２ａから後面２ｂにかけて、その傾斜角αが鋭角になるように傾斜させたものとしている。前記指挿入部５の内側面５ａの傾斜角αは、限定されるものではないが、４５〜８５度、好ましくは５５〜６５度とするのが、指挿入部５に指が引っ掛けやすくなり、指当たりもよくなる。また、この指挿入部５に指を引っ掛けた場合の指当たりをさらによくするため、内側面５ａに幅１〜２ｍｍの僅かな非傾斜部５ｂを残してから、この内側面５ａを傾斜させたものとしてもよい。
【００３０】
さらに、前記指挿入部４、５は、前記ゲージ本体１、２の上下部のそれぞれ二個所に設けたものを同形状にしてもよいが、図示したように、上部に設けたものより下部に設けたものをそれぞれ大きくするのが好ましい。このように、上部に設けたものより下部に設けたものを大きくしたものでは、その大きくした下部の指挿入部４、５を親指用とすれば、その指挿入部４、５に親指を差し込んで引っ掛けやすくなり、使い勝手がよいものとなる。なお、前記指挿入部４、５は、平面形状を長方形とするのが、その長辺部を指で押え付けやすくなるので好ましいが、円形、楕円形などとすることもでき、限定されるものではない。
【００３１】
前記気泡移動部６は、図４〜６、１０に示したように、前記ゲージ本体２の後面２ｂから内部にかけて穿設されており、内方部の空間Ｓａと外方部の空間Ｓｂとが連設されたものとしており、内方部の空間Ｓａに気泡Ｂを残して液体Ｌを充填し、外方部の空間Ｓｂに合成樹脂製の蓋体７を嵌め込み、内方部の空間Ｓａを密閉している。さらに、前記気泡移動部６は、図４、１０に示したように、中央部両側に垂直度または水平度を確認するためのマークとなる基準線Ｋ、Ｋが設けられている。
【００３２】
そして、前記気泡移動部６は、前記指挿入部５をゲージ本体２の内側に配置しやすくしたり、気泡移動部６を見やすくするため、ゲージ本体２の上面２ｃ、下面２ｄ、左右の側面２ｅ、２ｅのいずれかの近辺に設けたものとするのが好ましい。前記気泡移動部６は、ゲージ本体２の上面２ｃ、下面２ｄ、左側面２ｅまたは右側面２ｅから内部にかけて気泡管を穿設し、この気泡管に気泡Ｂを残して液体Ｌを充填し、合成樹脂製の止栓などで密閉するなど、その他適宜の手段によってゲージ本体２に設けることができる。なお、前記気泡移動部６は、ゲージ本体２に設けることなく、ゲージ本体１にのみ設けても、ゲージ本体１、２の両方に設けてもよい。
【００３３】
この発明のケガキゲージにおいて、前記ゲージ本体１、２は、それぞれ前面１ａ、２ａの中央から後面１ｂ、２ｂの中央にかけて前記輪郭マーク付け用の中心孔ｈをそれぞれ貫通させたものとしているが、これら中心孔ｈは必要に応じて設ければよい。さらに、前記ゲージ本体１、２に何れか一方、又は両方には、必要に応じて、磁石Ｍを設けたものとしており、その磁石Ｍの露出面を上面１ｃ、２ｃ、下面１ｄ、２ｄ、左右の側面１ｅ、２ｅのいずれかと面一なるように、その側壁面からゲージ本体１、２の内部に埋設したものとしている。なお、前記磁石Ｍは、円柱形状の磁石体としているが、ボタン形状の磁石体、板形状の磁石体などとしてもよく、板形状の磁石体とした場合には、ゲージ本体１に埋設することなく、側壁面に直に接着したものとすることができる。
【００３４】
以上のように構成されたこの発明のケガキゲージを用いて、コンセント設置孔や電源スイツチ孔のように寸法が規格化されている角孔を壁面に穿設するための輪郭マークを付ける場合に、その角孔が一連サイズであるときは、ゲージ本体１の短寸方向の寸法を４６ｍｍ、長手方向の寸法を９４ｍｍ、厚さを６ｍｍとすると共に、ゲージ本体２の短寸方向の寸法を５１ｍｍ、長手方向の寸法を９５ｍｍ、厚さを６ｍｍ、指挿入部５の内側面５ａの傾斜角αを６０度としたものを用いる。
【００３５】
このような水準器を用いて、前記コンセント設置孔形成用の輪郭マークを壁面に付けるには、図１２に示したように、二個のゲージ本体１、２を重ね合わせた（閉じた）状態にし、ゲージ本体２を壁面Ｈに向かい合うようにして、ゲージ本体１の上部位置の指挿入部４に人差指を差し込んで、ゲージ本体２の上部位置の指挿入部５に人差指を引っ掛け、ゲージ本体１の下部位置の指挿入部４に親指を差し込んで、ゲージ本体２の下部位置の指挿入部５に親指を引っ掛けて、これらゲージ本体１、２を保持し、壁面Ｈの所定位置にゲージ本体１、２の長手方向が縦となるようにして押え付ける。
【００３６】
そして、水平度を確認する気泡移動部６の気泡Ｂが基準線Ｋ、Ｋの中間に位置するように調節すれば、この気泡移動部６は水平となったことが確認でき、ゲージ本体１、２の短寸方向は水平に、長手方向は垂直になる。
【００３７】
そこで、この時のゲージ本体２の外形線を壁面Ｈに筆写すれば、縦が９５ｍｍ、横が５１ｍｍの一連サイズの長方形の角孔を穿設する位置が正確にマークされることになる。
【００３８】
なお、この場合、ゲージ本体１、２のそれぞれの上部位置の一個所に指挿入部４、５を設けたものでは、この指挿入部４に人差指を差し込んで、指挿入部５に人差指を引っ掛け、ゲージ本体１の前面１ａに親指を押し当て、前記ゲージ本体１、２を保持し、壁面Ｈの所定位置にゲージ本体１、２の長手方向が縦となるようにして押え付ければよい。
【００３９】
次に、この発明のケガキゲージを用いて、コンセント設置孔や電源スイツチ孔のように寸法が規格化されている角孔を壁面に穿設するための輪郭マークを付ける場合に、その角孔が二連サイズであるときは、前記ヒンジ３のブラケット３ａ、３ｂを開いて、前記ゲージ本体１、２を平坦状に開放した状態にする。この状態では、この発明のケガキゲージの横方向の寸法は、ゲージ本体１、２の短寸方向の寸法を足した９７ｍｍとなり、縦方向の寸法はゲージ本体１側が９４ｍｍとなり、ゲージ本体２側が９５ｍｍとなる。
【００４０】
そこで、図１３に示したように、ゲージ本体２の上部位置の指挿入部５に人差指を引っ掛け、下部位置の指挿入部５に親指を引っ掛けて、このゲージ本体２と共にゲージ本体１を保持し、壁面Ｈの所定位置にこれらゲージ本体１、２を押え付ける。なお、この場合、ゲージ本体１の指挿入部４にも他の指を引っ掛けて、ゲージ本体１、２を同時に押え付ければ、よりゲージ本体１、２が移動しにくくなる。
【００４１】
そして、水平度を確認する気泡移動部６の気泡Ｂが基準線Ｋ、Ｋの中間に位置するように調節すれば、この気泡移動部６は水平となったことが確認でき、ゲージ本体１、２の短寸方向は水平に、長手方向は垂直になる。
【００４２】
そこで、これらゲージ本体１、２の外形線を壁面Ｈに筆写すれば、縦が９４〜９５ｍｍ、横が９７ｍｍのニ連サイズの長方形の角孔を穿設する位置が正確にマークされることになる。
【００４３】
なお、この場合、ゲージ本体１、２の上部位置の一個所に指挿入部４、５を設けたものでは、ゲージ本体１の指挿入部４に中指を引っ掛けると共に、ゲージ本体２の指挿入部５に人差指を引っ掛け、前記ゲージ本体１、２を保持し、壁面Ｈの所定位置にゲージ本体１を押え付ければよい。
【００４４】
したがって、この発明のケガキゲージでは、コンセント設置孔や電源スイツチ孔のように寸法が規格化されている角孔を壁面Ｈに穿設するための輪郭マークを付ける場合に、その角孔が一連サイズであるときは、二個のゲージ本体１、２を重ね合わせた（閉じた）状態にし、前記角孔がニ連サイズであるときは、二個のゲージ本体１、２を開いた状態にすれば、それぞれに対応した輪郭マークを付けることができる。
【００４５】
さらに、この発明のケガキゲージは、ゲージ本体１、２を重ね合わせた（閉じた）状態、又は開いた状態にした場合も、これらゲージ本体１、２に設けられた指挿入部４、５に指を引っ掛けて、それらゲージ本体１、２を押え付けることにより、ゲージ本体１、２が押え付けやすく、その押え付けた指が滑りにくくなるので、ゲージ本体１、２も滑ることなく移動しにくくなり、そのゲージ本体１、２を壁面Ｈに正確に位置決めすることができる。
【００４６】
また、この発明のケガキゲージは、前記輪郭マークを付ける場合に、ゲージ本体１、２に設けられた指挿入部４、５に人差指や中指を引っ掛けて、これらゲージ本体１、２を押え付ければ、その押え付けた指が邪魔にならないので、ゲージ本体１、２を持ち替える必要がなく、その際の位置ずれを防止することができ、それらゲージ本体１、２を壁面Ｈに正確に位置決めすることができる。
【００４７】
よって、この発明のケガキゲージを用いれば、コンセント設置孔形成用の輪郭マークを付ける場合に、その角孔が一連サイズであって、二連サイズであっても、正確に、しかも速やかに付けることができる。
【符号の説明】
【００４８】
１  ゲージ本体
１ａ  前面
１ｂ  後面
２  ゲージ本体
２ａ  前面
２ｂ  後面
３  ヒンジ
３ａ  ブラケット
３ｂ  ブラケット
４  指挿入部
５  指挿入部
６  気泡移動部
【図１】
2018194320.tif 000003
【図２】
2018194320.tif 000004
【図３】
2018194320.tif 000005
【図４】
2018194320.tif 000006
【図５】
2018194320.tif 000007
【図６】
2018194320.tif 000008
【図７】
2018194320.tif 000009
【図８】
2018194320.tif 000010
【図９】
2018194320.tif 000011
【図１０】
2018194320.tif 000012
【図１１】
2018194320.tif 000013
【図１２】
2018194320.tif 000014
【図１３】
2018194320.tif 000015
【図１４】
2018194320.tif 000016
【図１５】
2018194320.tif 000017
【図１６】
2018194320.tif 000018